(57)【要約】  本発明は、乾式壁技術での壁構造体、好ましくは防火性および／または防音性の壁構造体の基部領域に凹部（「負型基部」）を形成する方法であって、スタッドフレームにおける壁構造体のために、ボード型建築要素、好ましくは石膏および／またはセメント含有建築要素を使用してパネルをスタッドフレームの両側に取り付け、かつスタッドフレームの少なくとも一方の側に二重層パネルを設け、その外側パネル層に凹部を形成し、それにより基部領域に凹部を形成する方法において、少なくとも基部領域における凹部の鉛直高さにわたり補償断熱材をスタッドフレームのパネルの間の中間領域に導入し、凹部が形成されたパネルに起因する基部領域の弱体化を補償することを特徴とする方法に関する。
2020521896.tif 000002
【特許請求の範囲】
【請求項１】
乾式壁技術での壁構造体、好ましくは防火性および／または防音性の壁構造体の基部領域に凹部を形成する方法であって、スタッドフレームにおける前記壁構造体のために、ボード型建築要素、好ましくは石膏および／またはセメント含有建築要素を使用してパネルを前記スタッドフレームの両側に取り付け、かつ前記スタッドフレームの少なくとも一方の側に二重層パネルを設け、その外側パネル層に凹部を形成し、それにより前記基部領域に前記凹部を形成する方法において、
少なくとも前記基部領域における前記凹部（６）の鉛直高さにわたり補償断熱材（７）を前記スタッドフレームの前記パネルの間の中間領域に導入し、凹部が形成された前記パネルに起因する前記基部領域の弱体化を補償することを特徴とする、方法。
【請求項２】
使用される前記補償断熱材（７）が、防火性および／または防音性を確保するのに適切な断熱材を含むことを特徴とする、請求項１記載の方法。
【請求項３】
ロックウールが補償断熱材（７）として使用されることを特徴とする、請求項２記載の方法。
【請求項４】
前記スタッドフレームの組み立ての間に、または前記スタッドフレームの組み立ての後に、ただし、前記スタッドフレームの領域を覆う前記パネルの施工前に、前記スタッドフレームの前記基部領域に前記補償断熱材（７）をすでに導入し、それにより、この基部領域を、好ましくは補償断熱材（７）で完全に充填することを特徴とする、請求項１から３までのいずれか１項記載の方法。
【請求項５】
前記補償断熱材（７）を機械的に固定することなく導入することを特徴とする、請求項１から４までのいずれか１項記載の方法。
【請求項６】
前記補償断熱材（７）をストリップの形態で前記基部領域内へと設置することを特徴とする、請求項１から５までのいずれか１項記載の方法。
【請求項７】
乾式壁技術での壁構造体、好ましくは、ボード型建築要素を有する、好ましくはスタッドフレームの両側に取り付けられた石膏および／またはセメント含有建築要素を有する前記スタッドフレームを含む防火性および／または防音性の壁構造体であって、前記壁構造体の基部領域に凹部を形成するために、前記スタッドフレームの少なくとも一方の側に二重層パネルが設けられており、その外側パネル層に凹部が形成されており、それにより前記基部領域において前記凹部が形成されている壁構造体、好ましくは請求項１から６までのいずれか１項記載の方法により形成された壁構造体において、
補償断熱材（７）が、少なくとも前記基部領域における前記凹部（６）の鉛直高さにわたり前記スタッドフレームの前記パネルの間の中間領域に導入され、それにより、凹部が形成された前記パネルに起因する前記基部領域の弱体化を補償することを特徴とする、壁構造体。
【請求項８】
前記スタッドフレームの前記パネルの間の前記中間領域に導入された前記補償断熱材（７）が、防火性および／または防音性を確保するのに適切な断熱材を含むことを特徴とする、請求項７記載の壁構造体。
【請求項９】
前記補償断熱材（７）がロックウールを含むことを特徴とする、請求項８記載の壁構造体。
【請求項１０】
前記スタッドフレームの前記パネルの間の前記中間領域が、少なくともその基部領域において前記補償断熱材（７）で完全に充填されていることを特徴とする、請求項７から９までのいずれか１項記載の壁構造体。
【請求項１１】
前記補償断熱材（７）が、機械的な固定なしに、前記スタッドフレームの前記パネルの間の前記中間領域に配置されていることを特徴とする、請求項７から１０までのいずれか１項記載の壁構造体。
【請求項１２】
補償断熱材（７）のストリップが前記基部領域内へと設置されていることを特徴とする、請求項７から１１までのいずれか１項記載の壁構造体。
【請求項１３】
壁構造体、好ましくは、スタッドフレーム用プロファイル要素およびボード型建築要素を含む、好ましくは、少なくとも１つの単一層パネルをスタッドフレームの両側に取り付けるための石膏および／またはセメント含有建築要素を含む防火性および／または防音性の壁構造体であって、少なくとも１つの凹部が前記壁構造体の基部領域に形成されている壁構造体、好ましくは請求項７から１２までのいずれか１項記載の壁構造体、ならびに／または請求項１から６までのいずれか１項記載の方法による壁構造体を製造するためのシステムにおいて、
凹部が形成された前記パネルに起因する前記基部領域の弱体化を補償するための少なくとも１つの補償断熱材ストリップを有することを特徴とする、システム。
【請求項１４】
壁構造体、好ましくは防火性および／または防音性の乾式壁構造体のための建築要素において、
スタッドフレームの基部領域に導入されることが意図される高い断熱性、不燃性および／または吸音性の断熱材、好ましくはロックウールのストリップを含むことを特徴とする、建築要素。
【発明の詳細な説明】
【技術分野】
【０００１】
本発明は、乾式壁技術での壁構造体、好ましくは防火性および／または防音性の壁構造体の基部領域に凹部（「負型基部（negative base）」）を形成する方法であって、スタッドフレームにおける壁構造体のために、ボード型建築要素、好ましくは石膏および／またはセメント含有建築要素を使用してパネルを両側に取り付け、かつスタッドフレームの少なくとも一方の側に二重層パネルを設け、その外側パネル層に凹部を形成し、それにより基部領域に凹部を形成する方法に関する。
【０００２】
また、本発明は、乾式壁技術での壁構造体、好ましくは、ボード型建築要素を有する、好ましくはスタッドフレームの両側に取り付けられた石膏および／またはセメント含有建築要素を有するスタッドフレームを含む防火性および／または防音性の壁構造体であって、壁構造体の基部領域に凹部（「負型基部」）を形成するために、スタッドフレームの少なくとも一方の側に二重層パネルが設けられており、その外側パネル層に凹部が形成されており、好ましくは上記の方法により凹部が形成されており、それにより基部領域に凹部が形成されている壁構造体にも関する。
【０００３】
本発明はさらに、壁構造体、好ましくは上記のタイプの壁構造体を製造するためのシステム、およびそのような壁構造体のための建築要素に関する。
【０００４】
室内設計に関して例えば床材と組み合わされる幅木は、上記のタイプの壁構造体に容易に配置可能であろう。
【０００５】
しかしながら、室内設計に関して、幅木を壁構造体に同一平面上に差し込んで、幅木が外側に突出することを回避することが望ましい場合がある。そのような場合、幅木を収容する空間を、所望の幅木が嵌め込み可能な凹部の形状で壁構造体自体の基部領域に形成する必要があり、すなわち、基部領域における壁構造体から材料を相応して除去するか、またはこれに凹部を形成する必要があり、これはいわゆる「負型幅木」である。しかしながら、これにより、この領域における壁構造体が弱体化する。そのような壁構造体は、非耐荷重の内壁構造体に関係することが好ましく、材料のそのような凹部形成は、実際には静的に関連していないが、特に防火および／または防音壁を著しく弱体化させ、それらの機能を実質的に完全に無効化させてしまうことがある。
【０００６】
そのような場合、パネルの外層の基部領域に凹部が形成されており、凹部が形成されたパネル部分または適切なサイズのボード部分は、外側から第一のパネル層へとねじで留められることによってではなく、内側から残りの連続するパネルへとねじで留められることによって壁構造体に一体化されることが一般的である。しかしながら、このタイプの施工は、極めて精巧であり、必ずしも実用的に実現可能であるわけではない。
【０００７】
よって、本発明は、負型幅木を有する壁構造体の弱体化を補償するための単純な代替案を開示するという目的に基づく。
【０００８】
本発明によると、この目的は、少なくとも基部領域における凹部の鉛直高さにわたり補償断熱材をスタッドフレームのパネルの間の中間領域に導入し、凹部が形成されたパネルに起因する基部領域の弱体化を補償することにより達成される。
【０００９】
有利なことに、パネルの減少に起因する、壁構造体の所望かつ必要な防火性および／または防音性の低下を、適切な特有の補償断熱材を導入することにより驚くほど単純に補償することが可能であると本発明から分かる。
【００１０】
壁構造体のスタッドフレームの領域における交換ボードの組み込みおよび施工と比べて、まず補償断熱材には、非常に単純かつ正確な嵌め込み方で、また十分な品質および十分な程度で、壁構造体の内部領域に導入可能であるという利点がある。さらに、これにより、その他の防火もしくは防音措置または要素は、全く影響を受けていない状態のままであることが可能である。例えば、スタッドフレームの建築要素の間の弾性分離体は、無傷の状態のままであり、損傷していない状態のままである。封止材、好ましくは膨張性の封止材も、無傷のままであり、何も影響を受けていない状態のままであることが可能である。該当する場合、スライド式プロファイル接続部の機能も、何も影響を受けていない状態のままであることが可能である。これは、本発明が同様に適切であるシングルスタッドを有する壁構造体およびダブルスタッドを有する壁構造体に適用されることが好ましい。現段階では、基部領域は必ずしも床の基部領域である必要はないが、室内設計または必要な導管を考慮して、例えば壁の基部に組み込まれた線路／管路のために天井用の幅木が必要な場合は、本発明の解決策を例えば天井用の幅木に適用することもできることに留意すべきである。
【００１１】
本発明によると、ロックウールは、適切に圧縮された形態で用いられる場合、非常に適切な補償断熱材として使用可能である。
【００１２】
本発明の方法の改良形態によると、スタッドフレームの組み立ての間に、またはスタッドフレームの組み立ての後に、ただし、スタッドフレームの領域を覆うパネルの施工前に、スタッドフレームの基部領域に補償断熱材をすでに導入することが有利であり、それにより、この基部領域を補償断熱材で完全に充填することが好ましいと提案されている。これは、補償断熱材を機械的に固定することなく実現可能であることが好ましい。よって、必要とされる本発明の措置は、壁構造体の組み立ての間の適切な時点ですでに実施可能であり、そのため、後に基部領域を緻密に変形させる必要がなくなる。
【００１３】
特に単純かつ有利な実施形態において、補償断熱材は、ストリップの形態で基部領域内へと設置可能であることが好ましい。
【００１４】
乾式壁技術での壁構造体、好ましくは、ボード型建築要素を有する、好ましくはスタッドフレームの両側に取り付けられた石膏および／またはセメント含有建築要素を有するスタッドフレームを含む防火性および／または防音性の壁構造体であって、壁構造体の基部領域に凹部（「負型基部」）を形成するために、スタッドフレームの少なくとも一方の側に二重層パネルが設けられており、その外側パネル層に凹部が形成されており、それにより基部領域において凹部が形成されている壁構造体、好ましくは上記の方法により形成された壁構造体において、先に定義した課題に対する独立的な解決策として、補償断熱材が、少なくとも基部領域における凹部の鉛直高さにわたりスタッドフレームのパネルの間の中間領域に導入され、それにより、凹部が形成されたパネルに起因する基部領域の弱体化を補償することを特徴とする壁構造体についても独立的な保護を請求する。
【００１５】
本発明の方法を参照してすでに先に言及したように、スタッドフレームのパネルの間の中間領域に導入される補償断熱材は、防火性および／または防音性を確保するのに適切な断熱材を含むことが好ましく、ここで、ロックウールがこの目的に好ましく適していると判明した。
【００１６】
スタッドフレームのパネルの間の中間領域は、少なくともその基部領域において補償断熱材で完全に充填されていることが好ましい。
【００１７】
すでに先に言及したように、補償断熱材は、その導入を著しく容易かつ単純にする機械的な固定なしに、スタッドフレームのパネルの間の中間領域に配置可能であることが好ましい。補償断熱材は、補償断熱材のストリップが基部領域内へと設置されることが好ましい場合、非常に単純な手法で導入可能である。
【００１８】
壁構造体、好ましくは、スタッドフレーム用プロファイル要素およびボード型建築要素を含む、好ましくは、少なくとも１つの単一層パネルをスタッドフレームの両側に取り付けるための石膏および／もしくはセメント含有建築要素を含む防火性および／もしくは防音性の壁構造体であって、少なくとも１つの凹部（「負型基部」）が壁構造体の基部領域に形成されている壁構造体、好ましくは本発明の壁構造体、ならびに／または本発明の方法により形成される壁構造体を製造するためのシステムにおいて、先に定義した目的に対する独立的な解決策として、本発明により、凹部が形成されたパネルに起因する基部領域の弱体化を補償するための少なくとも１つの補償断熱材ストリップを有することを特徴とするシステムについても、同様に独立的な保護を請求する。
【００１９】
壁構造体、好ましくは、防火性および／または防音性の乾式壁技術での壁構造体のための建築要素において、スタッドフレームの基部領域に導入されることが意図される高い断熱性、不燃性および／または吸音性の断熱材、好ましくはロックウールのストリップを含むことを特徴とする建築要素についても、独立的な保護を請求する。異なる区分の請求項の特徴は、類似的にその他の区分の改良形態であると考えることもでき、個別に互いに組み合わせることが可能である。
【００２０】
添付の図面は、例示的な実施形態を示し、これらの図面から、その他の本発明の特徴を知ることもできるが、これらは、基本的に例としてのみ解釈されるべきであり、本発明の対象またはその保護範囲を制限する意図は決してない。
【図面の簡単な説明】
【００２１】
【図１】シングルスタッドを含むスタッドフレームを有する例示的な壁構造体の本発明の基部領域についての基本的な垂直断面図を示す。
【図２】ダブルスタッドを含むスタッドフレームを有する例示的な壁構造体の本発明の基部領域についての基本的な垂直断面図を示す。
【００２２】
図１は、シングルスタッドを含むスタッドフレームを有する例示的な壁構造体の本発明の基部領域についての基本的な垂直断面図を示す。
【００２３】
図１に図示される壁構造体は、示されるその基部領域において、床１に固定された底部レール２、および底部レール２から垂直に立ち上がるスタッドプロファイル３を含む。スタッドプロファイル３の両側には壁板４、５が貼り付けられており、床１に至る。しかしながら、基部領域において、外側の壁板５は、両側のスタッドプロファイル３において凹部が形成されているか、または短くなっており、これにより、基部領域において凹部６がそれぞれ形成される。図示されていない幅木を、これらが外側の壁板５の外面と同一平面上になるように、すなわち、これらが、壁構造体により区切られるまたは分離される空間に突出しないように、または僅かしか突出しないように、これらの凹部６に嵌め込むことができる。これは、単に室内設計に関する美的な理由によるものであり得る。
【００２４】
しかしながら、これらの凹部６を原因として、壁構造体の残りの基部領域が、その図示される断面において、狭くなり、弱体化する。これは好ましくは、壁構造体により確保される潜在的な防火および／または防音措置と反対の作用を及ぼす。
【００２５】
本発明によると、この弱まった防火性および／または防音性は、適切な特有の補償断熱材７、特に、高い断熱性、不燃性および／または吸音性の断熱材、好ましくはロックウールが、弱体化した基部領域に、すなわち、内部パネルの壁板４の間のスタッドプロファイル３により形成される区画の領域に導入されるという点で補償されている。これは、スタッドフレームの組み立ての間または直後に、ただし、パネルが取り付けられるか、または閉じられる前にすでに実施されていることが好ましい。図１の図示に関して、示される固定用ねじ８は、単にパネルをスタッドフレームに固定する役割を果たし、補償断熱材７は、好ましくはスタッドフレームに機械的には固定されていないことに留意されたい。特有の補償断熱材７の高さは、垂直方向の凹部６の高さを上回ることが好ましい。
【００２６】
壁板４、５は、好ましくは、石膏ボード、石膏プラスターボードまたは石膏ファイバーボードであってもよい。
【００２７】
従来の断熱材９、例えばガラスウールを、特有の補償断熱材７の上で、すなわち、二重パネルがなおもそのままの状態である領域において使用してもよい。
【００２８】
図２は、ダブルスタッドを含むスタッドフレームを有する例示的な壁構造体の本発明の基部領域についての基本的な垂直断面図を示す。図１と同じ参照記号により、同じ建築要素を表す。
【００２９】
図１に図示される例示的な実施形態とは対照的に、図２の壁構造体は二重スタッド構造を有し、すなわち、２つのスタッドプロファイル３が互いに隣接して配置されている。パネルは、この二重スタッド構造体の両側に配置されており、その他の点については図１のように実現される。
【００３０】
さらに、図２の壁構造体は、壁構造体を音響減衰および分離するための弾性減衰要素１０を特徴とする。
【図１】
2020521896.tif 000003
【図２】
2020521896.tif 000004
【国際調査報告】
2020521896.tif 000005
2020521896.tif 000006
2020521896.tif 000007